(57)【要約】【課題】設置安定性に優れ操作性の良い顕微鏡外部操作装置を提供すること。【解決手段】顕微鏡の焦準ハンドルとは別体で用いられる顕微鏡外部操作装置において、前記顕微鏡の合焦動作を制御する外部焦準ハンドル１を有する本体部３と、前記本体部３と結合して前記本体部３を支持する支持台５とからなり、前記本体部３は、前記外部焦準ハンドル１の中心軸に対して対向する位置に、前記外部焦準ハンドル１を右側に配置する際に前記支持台５と結合する第１の結合部１３と、前記外部焦準ハンドル１を左側に配置する際に前記支持台５と結合する第２の結合部１５と、前記第１の結合部１３および第２の結合部１５とは異なる位置に、前記外部焦準ハンドル１からの制御信号を前記顕微鏡に伝達する伝達部９とを具備してなること。【選択図】  図２
2004354516.tif 000002
【特許請求の範囲】
【請求項１】
顕微鏡の焦準ハンドルとは別体で用いられる顕微鏡外部操作装置において、
前記顕微鏡の合焦動作を制御する外部焦準ハンドルを有する本体部と、前記本体部と結合して前記本体部を支持する支持台とからなり、
前記本体部は、前記外部焦準ハンドルの中心軸に対して互いに対向する位置に、前記外部焦準ハンドルを右側に配置する際に前記支持台と結合する第１の結合部と、前記外部焦準ハンドルを左側に配置する際に前記支持台と結合する第２の結合部と、前記第１の結合部および第２の結合部とは異なる位置に、前記外部焦準ハンドルからの制御信号を前記顕微鏡に伝達する伝達部と、を具備することを特徴とする顕微鏡外部操作装置。
【請求項２】
前記支持台に前記第１の結合部を結合して前記外部焦準ハンドルを右側に配置したときの前記外部焦準ハンドルの中心軸の高さと、前記支持台に前記第２の結合部を結合して前記外部焦準ハンドルを左側に配置したときの前記中心軸の高さとが略等しく、前記支持台から前記本体部を分離して前記外部焦準ハンドルを上向きに配置したときの前記外部焦準ハンドルを摘む位置の高さが、前記中心軸の高さと略等しく形成されていることを特徴とする請求項１に記載の顕微鏡外部操作装置。
【請求項３】
前記支持台は、前記本体部が前記支持台に結合された際、前記外部焦準ハンドルの位置する側が略垂直に形成された不等辺台形状のブロックからなり、前記支持台の前記本体部との結合部位は、前記本体部の第１の結合部または第２の結合部と嵌合するように前記ブロックの上辺部に略Ｕ字状の溝部が形成されていることを特徴とする請求項１または２に記載の顕微鏡外部操作装置。
【請求項４】
前記溝部の底部に少なくとも１つの磁石が設けられ、前記本体部と前記支持台とを磁力で接合することを特徴とする請求項３に記載の顕微鏡外部操作装置。
【請求項５】
前記本体部の第１の結合部および第２の結合部には少なくとも１つの凸部が設けられ、前記溝部の前記底部には凹部が設けられ、前記本体部と前記支持台とが結合する際に、前記本体部の凸部と前記底部の凹部とが嵌合して、前記支持台に対する前記外部焦準ハンドルの左右の向きを位置決めすることを特徴とする請求項１から４のいずれか１項に記載の顕微鏡外部操作部。
【請求項６】
顕微鏡の焦準ハンドルとは別体で用いられる顕微鏡外部操作装置において、
前記顕微鏡の合焦動作を制御する外部焦準ハンドルを外周部に有する円筒箱型部材からなる本体部と、前記本体部を挟持する断面視が略Ｕ字状の支持台とからなり、
前記本体部は、前記円筒箱型部材の中心部に設けられた軸部材により前記支持台の略Ｕ字状部の壁部間に回動自在に支持され、
前記壁部の一方の外側面に前記外部焦準ハンドルからの制御信号を前記顕微鏡に伝達する伝達部が設けられてなることを特徴とする顕微鏡外部操作装置。
【請求項７】
顕微鏡の焦準ハンドルとは別体で用いられる顕微鏡外部操作装置であって、
前記顕微鏡の合焦動作を制御する外部焦準ハンドルが１つの面に設けられた箱型形状を有する本体部と、
前記外部焦準ハンドルが設けられた面とは対向する面に接続され、前記本体部を任意の位置の位置に支持する変形自在アームと、
前記変形自在アームの他端部を固定する支持台とからなり、
前記外部焦準ハンドルからの制御信号を前記顕微鏡に伝達する伝達部が、前記本体部または前記支持台に設けられてなることを特徴とする顕微鏡外部操作装置。
【請求項８】
前記本体部に設けられた前記伝達部と前記外部焦準ハンドルの中心軸に対して対向する位置に、前記顕微鏡と前記本体部との制御機能を切替える制御切替スイッチが設けられていることを特徴とする請求項１から７のいずれか１項に記載の顕微鏡外部操作装置。
【請求項９】
前記制御切替スイッチは、前記顕微鏡の焦準ハンドルと前記本体部の外部焦準ハンドルの制御権を切替えることを特徴とする請求項１から７のいずれか１項に記載の顕微鏡外部操作装置。
【発明の詳細な説明】
【０００１】
【発明の属する技術分野】
本発明は、顕微鏡外部操作装置に関する。
【０００２】
【従来技術】
従来、顕微鏡の焦準ハンドル等の制御部を顕微鏡本体から分離して、観測者の手元近くに設置して顕微鏡の合焦制御を行う顕微鏡操作ユニットが提案されている（例えば、特許文献１参照。）。
【０００３】
【特許文献１】
特許第３０７５２９９号公報（図７参照）
【０００４】
【発明が解決しようとする課題】
上記開示例では、顕微鏡本体の焦準ハンドルや制御スイッチ等からなる顕微鏡操作ユニットを顕微鏡本体から着脱可能に構成しているため、スイッチボタン等は、操作ユニットの使用する向きが一方向に限定されて配置されており、顕微鏡の使用者は、限定された方向からしか使用できないという問題がある。
【０００５】
また、上記開示例では、焦準ハンドルを水平位置で使用する場合を想定して焦準ハンドルの位置、制御スイッチの位置等が設計されている。このため焦準ハンドルを顕微鏡本体に配置してある状態と同じ縦方向に設置して操作することは考慮されておらず、顕微鏡の操作ユニットの縦方向設置が不安定である虞がある。
【０００６】
本発明は、上記問題に鑑みて行われたものであり、設置安定性に優れ操作性の良い顕微鏡外部操作装置を提供することを目的としている。
【０００７】
【課題を解決するための手段】
上記目的を達成するために、本発明では、顕微鏡の焦準ハンドルとは別体で用いられる顕微鏡外部操作装置において、前記顕微鏡の合焦動作を制御する外部焦準ハンドルを有する本体部と、前記本体部と結合して前記本体部を支持する支持台とからなり、前記本体部は、前記外部焦準ハンドルの中心軸に対して互いに対向する位置に、前記外部焦準ハンドルを右側に配置する際に前記支持台と結合する第１の結合部と、前記外部焦準ハンドルを左側に配置する際に前記支持台と結合する第２の結合部と、前記第１の結合部および第２の結合部とは異なる位置に、前記外部焦準ハンドルからの制御信号を前記顕微鏡に伝達する伝達部とを具備することを特徴とする顕微鏡外部操作装置を提供する。
【０００８】
また、本発明の顕微鏡外部操作装置は、前記支持台に前記第１の結合部を結合して前記外部焦準ハンドルを右側に配置したときの前記外部焦準ハンドルの中心軸の高さと、前記支持台に前記第２の結合部を結合して前記外部焦準ハンドルを左側に配置したときの前記中心軸の高さとが略等しく、前記支持台から前記本体部を分離して前記外部焦準ハンドルを上向きに配置したときの前記外部焦準ハンドルを摘む位置の高さが、前記中心軸の高さと略等しく形成されていることが好ましい。
【０００９】
また、本発明の顕微鏡外部操作装置では、前記支持台は、前記本体部が前記支持台に結合された際、前記外部焦準ハンドルの有る側が略垂直に形成された不等辺台形状のブロックからなり、前記支持台の前記本体部との結合部位は、前記本体部の第１の結合部または第２の結合部と嵌合するように前記ブロックの上辺部に略Ｕ字状の溝部が形成されていることが好ましい。
【００１０】
また、本発明の顕微鏡外部操作装置は、前記溝部の底部に少なくとも１つの磁石が設けられ、前記本体部と前記支持台とを磁力で接合することが好ましい。
【００１１】
また、本発明の顕微鏡外部操作装置は、前記本体部の第１の結合部および第２の結合部には少なくとも１つの凸部が設けられ、前記溝部の前記底部には凹部が設けられ、前記本体部と前記支持台とが結合する際に、前記本体部の凸部と前記底部の凹部とが嵌合して、前記支持台に対する前記外部焦準ハンドルの左右の向きを定める構成がことが好ましい。
【００１２】
また、本発明は、顕微鏡の焦準ハンドルとは別体で用いられる顕微鏡外部操作装置において、前記顕微鏡の合焦動作を制御する外部焦準ハンドルを外周部に有する円筒箱型部材からなる本体部と、前記本体部を挟持する断面視が略Ｕ字状の支持台とからなり、前記本体部は、前記円筒箱型部材の中心部に設けられた軸部材により前記支持台の略Ｕ字状部の壁部間に回動自在に支持され、前記壁部の一方の外側面に前記外部焦準ハンドルからの制御信号を前記顕微鏡に伝達する伝達部が設けられてなることを特徴とする顕微鏡外部操作装置を提供する。
【００１３】
また、本発明は、顕微鏡の焦準ハンドルとは別体で用いられる顕微鏡外部操作装置であって、前記顕微鏡の合焦動作を制御する外部焦準ハンドルが１つの面に設けられた箱型形状を有する本体部と、前記外部焦準ハンドルが設けられた面とは対向する面に接続され、前記本体部を任意の位置の位置に支持する変形自在アームと、前記変形自在アームの他端部を固定する支持台とからなり、前記外部焦準ハンドルからの制御信号を前記顕微鏡に伝達する伝達部が、前記本体部または前記支持台に設けられてなることを特徴とする顕微鏡外部操作装置を提供する。
【００１４】
また、本発明の顕微鏡外部操作装置は、前記本体部に設けられた前記伝達部と前記外部焦準ハンドルの中心軸に対して対向する位置に、前記顕微鏡と前記本体部との制御機能を切替える制御切替スイッチが設けられていることが好ましい。
【００１５】
また、本発明の顕微鏡外部操作装置では、前記制御切替スイッチは、前記顕微鏡の焦準ハンドルと前記本体部の外部焦準ハンドルの制御権を切替えることが好ましい。
【００１６】
【発明の実施形態】
本発明の実施の形態を図面を参照しつつ説明する。
【００１７】
図１は、本発明の第１実施形態にかかる顕微鏡外部操作装置を焦準ハンドル側から見た概略図を示す。図２は、本発明の第１実施形態にかかる顕微鏡外部操作装置の設置例を一部透視図を用いて示し、（ａ）は右手で焦準ハンドルを操作する場合の設置例を、（ｂ）は左手で焦準ハンドルを操作する場合の設置例をそれぞれ示す。図３は、本発明の第１実施形態にかかる顕微鏡外部操作装置の焦準ハンドルを上向きで操作する場合の設置例を示す。図４は、本発明の第１実施形態にかかる顕微鏡外部操作装置の支持台の概略構成図を示し、（ａ）は上面図を、（ｂ）は一部透視図を用いて正面図を、（ｃ）左側面図をそれぞれ示す。図５は、本発明の第２実施形態にかかる顕微鏡外部操作装置の概略構成図を示し、（ａ）は焦準ハンドル側から見た図を一部透視図を用いて示し、（ｂ）は（ａ）を右側面から見た図を示す。図６は、本発明の第３実施形態にかかる顕微鏡外部操作装置の概略構成図を示す。
【００１８】
（第１実施形態）
本発明の第１実施形態に関して図１〜図４を参照しつつ説明する。図１は、本実施形態にかかる顕微鏡外部操作装置を焦準ハンドル側から見た図である。
【００１９】
図１〜図３において、焦準ハンドル（以後、ハンドルと記す）１が箱型形状の本体部（以後、ハンドルユニット部と記す）３と、ハンドルユニット部３を安定して支持可能な重量を有し、図４（ａ）に示すように、正面視が略不等辺台形状を有する支持台５とから顕微鏡外部操作装置１００が構成されている。
【００２０】
ハンドルユニット部３は、ハンドル１を１つの面に有し、基盤を内蔵する箱状部材３ａから構成されている。ハンドル１は、留め金７により箱状部材３ａに回転可能に固定されている。ハンドルユニット部３には、ハンドル１の回転軸に対して対向する箱状部材３ａのそれぞれの側面位置に接続コード９と不図示の顕微鏡と顕微鏡外部操作装置１００の制御権を切替える制御切替スイッチ１１がそれぞれ設けられている。接続コード９により不図示の顕微鏡本体に電気的に接続されており、ハンドル１を回転することによって顕微鏡の合焦操作を行うことができる。
【００２１】
接続コード９の取付位置と制御切替スイッチ１１の軸に略垂直で、ハンドル１の回転軸に対して対向する箱状部材３ａのそれぞれの側面は、ハンドル１を右手で操作する場合に支持台５と結合させる第１の結合部１３と、ハンドル１を左手で操作する場合に支持台５と結合させる第２の結合部１５とが設けられている。
【００２２】
第１および第２の結合部１３、１５には支持台５に対するハンドル１の左右の向きを決めるために用いられる凸部１３ａ、１５ａが設けられている。また、箱状部材３ａのハンドル１の設けられた面に対向する面には、ハンドルユニット部３を支持台５から分離して、ハンドル１を上向きで用いる場合に滑り止めとなる、例えばゴム足１７が設けられている。
【００２３】
支持台５は、金属材料からなり顕微鏡外部操作装置１００全体を安定して支持する重量を有している。図２に示すように、支持台５はハンドル１のある側が略垂直に形成された不等辺台形状の金属ブロックで形成されている。図４に示すように、不等辺台形の上辺部には、箱状部材３ａの第１の結合部１３および第２の結合部１５と嵌合して、ハンドルユニット部３を支持する略Ｕ字状の溝部１９が形成されている。溝部１９の底部１９ａには、第１の結合部１３、および第２の結合部１５に設けられたそれぞれの凸部１３ａ、１５ａと嵌合する凹部２１が設けられている。凹部２１は、長方形の底部１９ａ１つの長辺側にのみ設けられており、ハンドル１の左右位置と支持台５の位置関係を決めるために用いられる。底部１９ａには、ハンドルユニット部３と支持台５とを磁力で結合するために、マグネット２３が埋め込まれている。また、支持台５の底部には、例えばゴム足２５が設けられ、滑りにくい構成となっている。
【００２４】
本実施形態では、右手でハンドル１を操作する場合には、図２（ａ）に示すように、ハンドル１が右側に、かつ制御切替スイッチ１１が手前（操作者側）に配置され、支持台５の略垂直な面がハンドル１側に来るように構成される。一方、左手でハンドル１を操作する場合には、図２（ｂ）に示すように、ハンドル１が左側に、かつ制御切替スイッチ１１が手前（操作者側）に配置され、支持台５の略垂直な面がハンドル１側に来るように構成される。また、左右どちらの使用状態においても、ハンドル１の回転軸位置の高さＨは略同等であり、左右どちらの手で使用しても操作者が使いやすいハンドル１の高さ位置が実現されている。
【００２５】
また、図３に示すように、ハンドル１を上方に向けて使用する場合においても、ハンドル１を摘む位置の高さが、上記左右での使用状態のハンドル１の回転軸位置の高さＨの近傍となるように設計されているため、操作者が使いやすいハンドル１の位置の高さが実現できる。
【００２６】
なお、本実施形態では、マグネット２３を６個使用した場合について説明しているが、マグネット２３の数は、ハンドルユニット部３と支持台５が所定の磁気吸引力が得られるように調整される。また、制御切替スイッチ１１の機能は、本顕微鏡外部操作装置１００が接続される顕微鏡によって適宜変更され、顕微鏡の焦準動作や粗動微動の切替などの制御切替に用いられる。また、ハンドルユニット部３から顕微鏡への信号の伝達は、接続コード９による電気的接続以外に、赤外線通信等のワイヤレス通信を用いても良い。
【００２７】
（第２実施形態）
本発明の第２実施形態に関して図５を参照しつつ説明する。第１実施形態と同等の部材には同じ符号を付し説明を省略する。
【００２８】
図５において、本第２実施形態にかかる顕微鏡外部操作装置２００は、円筒箱型形状のハンドルユニット部３３と、それを挟持する断面視が略Ｕ字状形状で顕微鏡外部操作装置２００を安定して支持可能な重量を有する支持台３５と、ハンドルユニット部３３の中心軸を貫通してハンドルユニット部３３を回動可能に支持台３５に支持する円筒状の軸部材３７とから構成されている。
【００２９】
ハンドルユニット部３３は、ハンドル１を外周部に有し、基盤を内蔵する円筒箱状部材３９からなり、ハンドル１は留め金４１により円筒箱状部材３９の外周部に回転可能に固定されている。
【００３０】
支持台３５は金属材料からなり、顕微鏡外部操作装置２００全体を安定して支持できる重量を有し、支持台３５の底面には例えばゴム足５１を設け滑り難くしている。
【００３１】
支持台３５の略Ｕ字状に形成された壁部材４３ａの外側面には、不図示の顕微鏡と信号の伝達を行う接続コード９が接続されており、ハンドル１の操作信号を不図示の顕微鏡に伝達し、顕微鏡の合焦動作等の制御を可能としている。なお、ハンドルユニット部３３から顕微鏡への信号の伝達は、接続コード９による電気的接続以外に、赤外線通信等のワイヤレス通信を用いても良い。
【００３２】
支持台３５の略Ｕ字状に形成された壁部材４３ｂの外側面には、顕微鏡と顕微鏡外部操作装置１００との制御権を切替える制御切替スイッチ４５が設けられている。
【００３３】
円筒状の軸部材３７はハンドルユニット部３３と一体化しており、支持台３５の壁部４３ａ、４３ｂに設けられた孔部４７、（４７）にベアリング４９、（４９）を介して支持され、ハンドルユニット部３３を回動可能に支持している。軸部材３７の中空部は接続コード９等の制御信号ケーブルを通して、ハンドルユニット部３３の回動時の邪魔にならないよう処理されている。
【００３４】
制御切替スイッチ４５をハンドルユニット部３３の回転軸中心近傍に設けることによって、ハンドル１を左手操作位置（図５（ｂ）位置）、または上方位置（不図示）、または右手操作位置（不図示）に回動した際に、制御切替スイッチは常に操作者側に位置するため、制御切替スイッチ４５の操作性を維持することができる。なお、制御切替スイッチ４５の機能は、本顕微鏡外部操作装置２００が接続される顕微鏡によって適宜変更され、顕微鏡の焦準動作や粗動微動の切替などの制御切替に用いられる。
【００３５】
（第３実施形態）
本発明の第３実施形態に関して図６を参照しつつ説明する。第１実施形態と同等の部材には同じ符号を付し説明を省略する。
【００３６】
図６において、本第３実施形態にかかる顕微鏡外部操作装置３００は、箱型形状のハンドルユニット部５３と、それを支える変形自在アーム５４と、変形自在アーム５４を固定して顕微鏡外部操作装置３００全体を安定して支持することのできる重量を有する支持台５５とから構成されている。
【００３７】
ハンドルユニット部５３は、ハンドル１を１つの面に有し、基盤を内蔵する箱状部材５９からなり、ハンドル１は留め金６１により箱状部材５９に回転可能に固定されている。箱状部材５９のハンドル１の取付面に対向する背面位置には、箱状部材５９を支持する変形自在アーム５４が留め金５４ａによって固定されている。箱状部材５９の１つの側面には、不図示の顕微鏡と顕微鏡外部操作装置３００との制御権を切替える制御切替スイッチ５７が設けられ、これに対向する側面には不図示の顕微鏡にハンドル１等の情報を伝達する接続コード９が設けられている。なお、接続コード９を支持台５５に設けることもできる。この場合、ハンドル１等の制御信号を箱状部材５３から変形自在アーム５４内を通して支持台５５まで配線しておく必要がある。また、顕微鏡への信号の伝達は、接続コード９による電気的接続以外に、赤外線通信等のワイヤレス通信を用いても良い。
【００３８】
箱状部材５９に接続された変形自在アーム５４の他の一端部は、支持台５５に留め金５４ｂによって固定され、支持台５５と変形自在アーム５４とでハンドルユニット部５３が支持されている。
【００３９】
支持台５５は金属材料からなり、顕微鏡外部操作装置３００全体を安定して支持できる重量を有し、支持台５５の底面には例えばゴム足６３を設け滑り難くしている。
【００４０】
本第３実施形態では、変形自在アーム５４を用いているため、ハンドル１の位置を操作者が望む任意の方向に向けることができ、ハンドル１等の操作性を向上させることができる。
【００４１】
以上述べたように、全ての実施形態によれば、例えば、リモートコントロールパットの近傍に顕微鏡外部操作装置を設置して、操作しやすい方向にハンドルを向け、顕微鏡の合焦操作容易に行うことが可能となる。
【００４２】
なお、上述の実施の形態は例に過ぎず、上述の構成や形状に限定されるものではなく、本発明の範囲内において適宜修正、変更が可能である。
【００４３】
【発明の効果】
上述のように、本発明では、設置安定性に優れ操作性の良い顕微鏡外部操作装置を提供することができる。
【図面の簡単な説明】
【図１】本発明の第１実施形態にかかる顕微鏡外部操作装置を焦準ハンドル側から見た概略図を示す。
【図２】本発明の第１実施形態にかかる顕微鏡外部操作装置の設置例を一部透視図を用いて示し、（ａ）は右手で焦準ハンドルを操作する場合の設置例を、（ｂ）は左手で焦準ハンドルを操作する場合の設置例をそれぞれ示す。
【図３】本発明の第１実施形態にかかる顕微鏡外部操作装置の焦準ハンドルを上向きで操作する場合の設置例を示す。
【図４】本発明の第１実施形態にかかる顕微鏡外部操作装置の支持台の概略構成図を示し、（ａ）は上面図を、（ｂ）は一部透視図を用いて正面図を、（ｃ）左側面図をそれぞれ示す。
【図５】本発明の第２実施形態にかかる顕微鏡外部操作装置の概略構成図を示し、（ａ）は焦準ハンドル側から見た図を一部透視図を用いて示し、（ｂ）は（ａ）を右側面から見た図を示す。
【図６】本発明の第３実施形態にかかる顕微鏡外部操作装置の概略構成図を示す。
【符号の説明】
１      ハンドル（焦準ハンドル）
３、３３、５３    ハンドルユニット部
５、３５、５５    支持台
３ａ、５９    箱状部材
７、４１、５４ａ、５４ｂ    留め金
９、      接続コード
１１、４５、５７    制御切替スイッチ
１３      第１の結合部
１５      第２の結合部
１７、５１    ゴム足
１９      溝部
２１      凹部
２３      マグネット
３７      軸部材
３９      円筒箱状部材
４３ａ、４３ｂ    壁部材
４７      孔部
４９      ベアリング
５４      変形自在アーム
１００、２００、３００    顕微鏡外部操作装置
【図１】
2004354516.tif 000003
【図２】
2004354516.tif 000004
【図３】
2004354516.tif 000005
【図４】
2004354516.tif 000006
【図５】
2004354516.tif 000007
【図６】
2004354516.tif 000008